(57)【要約】【課題】  従来の移動無線システムでは、単信方式の場合の半二重通信用の音声コーデックと、複信方式の場合の全二重通信用の音声コーデックの２つの音声コーデックを必要とするため、移動無線端末が大型化し、重量も重く、また全二重通信用の音声コーデックは高価であるという問題点があった。【解決手段】  無線基地局と少なくとも１つの移動無線端末とより構成されるデジタル移動無線システムにおいて、前記少なくとも１つの移動無線端末は、半二重用コーデック部と、入出力切替手段とを備え、前記入出力切替手段の切換えに応じて送信処理または受信処理を行うことを特徴とする。【選択図】  図１
2005347923.tif 000002
【特許請求の範囲】
【請求項１】
無線基地局と少なくとも１つの移動無線端末とより構成されるデジタル移動無線システムにおいて、
前記少なくとも１つの移動無線端末は、半二重用コーデック部と、入出力切替手段とを備え、
前記入出力切替手段の切換えに応じて送信処理または受信処理を行うことを特徴とするデジタル移動無線システム。
【請求項２】
無線基地局と少なくとも１つの移動無線端末とより構成されるデジタル移動無線システムにおいて、
前記少なくとも１つの移動無線端末は、半二重用コーデック部と、入出力切替手段とを備え、
前記入出力切替手段の切換えに応じて、半フレーム毎に送信処理と受信処理とを交互に行うように前記半二重コーデックが動作することにより、複信方式の通信を確立することを特徴とするデジタル移動無線システム。
【発明の詳細な説明】
【技術分野】
【０００１】
本発明は、デジタル移動無線システムに関し、特に、全二重通信のデジタル移動無線システムに関するものである。
【背景技術】
【０００２】
従来のデジタル移動無線システムとして、例えば、非特許文献１である標準規格「市町村デジタル移動通信システム  ＡＲＩＢ  ＳＴＤ−Ｔ７９（社団法人  電波産業会）」による無線システムの場合、ＴＤＭＡ（時分割多重）による単信方式と複信方式の通信方式がある。
従来、このような無線システムの移動無線端末は、単信方式と複信方式の２つの通信方式に対応するように、単信方式と複信方式の両方の音声コーデックを備え、単信方式の場合には半二重通信用の音声コーデックによる処理し、複信方式の場合に全二重通信用の音声コーデックによる処理をし、これら両方を適宜切り換えて単信通信または複信方式の通信を行うようにしていた。
【０００３】
【非特許文献１】市町村デジタル移動通信システム  ＡＲＩＢ  ＳＴＤ−Ｔ７９（社団法人  電波産業会）
【発明の開示】
【発明が解決しようとする課題】
【０００４】
上述した従来の移動無線システムでは、単信方式の場合の半二重通信用の音声コーデックと、複信方式の場合の全二重通信用の音声コーデックの２つの音声コーデックを必要とするため、移動無線端末が大型化し、重量も重く、また全二重通信用の音声コーデックは高価であるという問題点があった。
【０００５】
本発明の目的は上記に鑑みて為されたものであり、半二重通信用の音声コーデックと全二重通信用の音声コーデックという２つの音声コーデックを必要とせず、移動無線端末の小型化、軽量化、また安価である移動無線端末とするデジタル移動無線システムを提供することを目的とする。
【課題を解決するための手段】
【０００６】
上記従来の問題点を解決するため請求項１に記載の発明は、無線基地局と少なくとも１つの移動無線端末とより構成されるデジタル移動無線システムにおいて、前記少なくとも１つの移動無線端末は、半二重用コーデック部と、入出力切替手段とを備え、前記入出力切替手段の切換えに応じて送信処理または受信処理を行うことを特徴とする。
【０００７】
上記従来の問題点を解決するため請求項２に記載の発明は、無線基地局と少なくとも１つの移動無線端末とより構成されるデジタル移動無線システムにおいて、前記少なくとも１つの移動無線端末は、半二重用コーデック部と、入出力切替手段とを備え、前記入出力切替手段の切換えに応じて、半フレーム毎に送信処理と受信処理とを交互に行うように前記半二重コーデックが動作することにより、複信方式の通信を確立することを特徴とする。
【０００８】
また、上記従来の問題点を解決するための本発明は、無線基地局と少なくとも１つの移動無線端末とより構成されるデジタル移動無線システムにおいて、前記少なくとも１つの移動無線端末は、半二重用コーデック部を備え、前記半二重用コーデック部を２個用いて半フレームずつの送信処理と受信処理を行うか、若しくは、半二重用コーデック部を１個用いて半フレーム毎に送信処理と受信処理とを交互に行うよう入出力切替手段にて切換えを行ないことにより、複信方式の通信を確立することを特徴とするものである。
【発明の効果】
【０００９】
本発明により、単信方式の場合の半二重通信用の音声コーデックと、複信方式の場合の全二重通信用の音声コーデックの２つの音声コーデックを必要とするために移動無線端末が大型化し、重量も重く、また高価であるという問題点を解決し、半二重通信用の音声コーデックと全二重通信用の音声コーデックという２つの音声コーデックを必要とせず、移動無線端末の小型化、軽量化、また安価である移動無線端末とするデジタル移動無線システムを提供することができる。
【発明を実施するための最良の形態】
【００１０】
図１は、本発明の実施の形態である移動無線端末のブロック図（第１実施例）である。
この図１は、半二重通信用音声コーデックを２個備えた場合の移動無線端末であり、受信部１３の復調された受信信号はベースバンド信号処理部３０のコーデック部３１―１にて復号化・伸張される。
そして、復号化・伸張されたデータは、Ｄ／Ａ変換部３２を通り受話器３４に出力される。
【００１１】
一方、送話器３５からの音声信号は、Ａ／Ｄ変換部３３を通りコーデック部３１―２において符号化圧縮信号処理された後、送信部２１に入力される。
このようにコーデック部３１―１、３１―２のそれぞれに半二重通信用音声コーデックを備えることで複信の通信を行うことができる。
【００１２】
図２は、本発明の実施の形態である移動無線端末のブロック図（第２実施例）である。
前述した図１の第1実施例では、音声コーデック用ＩＣとして安価な半二重通信用音声コーデックを2個採用して複信の通信を行うことができるが、コーデック部３１―１、３１―２のそれぞれに半二重通信用音声コーデックが必要となるため、音声コーデックの部品としてのＩＣの実装面積が2個分必要になる。
そこで、図２による第２実施例では、半二重通信用音声コーデックを用いた場合の音声コーデックを１個とし、複信方式の通信が確立できる移動無線端末とする。
【００１３】
この図２において、アンテナ１１で受信された無線基地局（図示せず）からの信号は、アンテナ共用器１２を介して受信部１３に入力される。
そして、高周波増幅器１４で高周波増幅された後、受信ミキサ１５において周波数シンセサイザ２０からの局部発信信号により周波数変換され、中間周波増幅器１６を介して復調器１７にて復調される。
自局に対する復調された受信信号はベースバンド信号処理部３０のコーデック部３１にて復号化・伸張される。
復号化・伸張されたデータは、入出力切替え回路３６を通ってＤ／Ａ変換部３２を通り受話器３４に出力され、あるいは制御部２を介して表示部５６に出力される。
【００１４】
一方、送話器３５からの音声信号は、Ａ／Ｄ変換部３３を通り入出力切替え回路３６を通ってコーデック部３１において符号化・圧縮信号処理された後、送信部２１に入力される。
これは、コーデック部３１の出力信号は変調器２４で所定の変調処理を施された後、周波数シンセサイザ２０からの信号が供給される送信ミキサ２３で高周波信号に変換され、送信電力増幅器２２で電力増幅された後、アンテナ共用器１２を介してアンテナ１１から当該無線基地局に対して送信される。
【００１５】
ここで、図１または図２に示す制御部２は、当該移動無線端末機１全体の制御を行う主中央処理装置（主ＣＰＵ）５０と、制御プログラムや所定の定数などを記憶したＲＯＭ５１と、ワークエリアと使用されるＲＡＭ５２と、各種パラメータやテーブル類を格納するフラッシュメモリなどの電気的消去書込可能型ＲＯＭ５３と、入力キー５５および表示部５６からのデータ入力および表示部５６へのデータ出力を行う操作部５４と、当該移動無線端末機１に対する電源投入／切断を制御する電源制御部５８とより構成される。
また、移動無線端末機１のベースバンド信号処理部３０は、バス５９により相互にバス接続されている。
【００１６】
そして、この制御部２は、移動無線端末機１における送受信シーケンス動作の制御、送受信制御信号の変復調、送受信プロトコルの制御などの制御を行なうとともに、当該移動無線端末機で受信された情報あるいは操作者に対する各種情報を表示部５６にて表示するための処理、入力キー５５から入力されたデータを当該移動無線端末機１のベースバンド信号処理部３０に出力する処理を行う。
【００１７】
図３は、本発明の実施の形態であるデジタル移動無線システムの動作を示すエアフレーム図である。
この図３は、前述した図２の第２実施例の移動無線端末による、入出力切替え回路３６とコーデック部３１の動作を示すエアフレームの場合を示す。
入出力切替え回路３６とコーデック部３１の切替え周期は、ＴＤＭＡエアーフレームの半フレーム（２０ＭＳ）毎に行う。
受信エアフレームの番号「０」を受信する場合、１０ＭＳの受信データをメモリバッファに格納後、Ｔ２の間コーデック部３１の処理モードは、復号化・伸張を行うように設定されていて入出力切替え回路３６はＤ／Ａ変換部３２へのデータ出力方向のみに切替えられる。
そして、復号化・伸張されたデータは、Ｔ２の間２０ＭＳ間出力していてＤ／Ａからの受信音声出力は４０ＭＳ周期で出力する。
【００１８】
一方、送信エアフレームの番号「０」を送信する場合、Ｔ１の間コーデック部３１の処理モードは、符号化圧縮信号処理を行うように設定されていて入出力切替え回路３６はＡ／Ｄ変換部３３からのデータ入力方向のみに切替えられる。
Ａ／Ｄからの送信音声出力は４０ＭＳ周期で入力されＴ１の間２０ＭＳ間入力されている。
【００１９】
そして、コーデックの復号化・伸張と符号化圧縮信は、互いに交互に切り替えられ処理は重なる事はなく、送信音声、受信音声とも４０ＭＳ中２０ＭＳの非連続入出力であって、音声コーデック部の入出力に切替え回路を備えることで半二重通信用の音声コーデック1個で全二重通信を確立することができる。
このように、半フレームごとに送信音声処理と受信音声処理を交互に行うことにより半二重通信用音声コーデック１個で全二重通信と等価な処理を実行することで、半二重通信用音声コーデック１個で半二重通信用音声コーデック２個と等価の処理をしたのと同じになり全二重通信として複信方式の通信を行うことができる。
また、音声化されたレベルでは、実用上問題ない明瞭度である。
【００２０】
本発明の第2実施例によると、符号化・圧縮と復号化・伸張を時分割に行う音声コーデックを用いた半二重通信用音声コーデックを１個内蔵の移動無線端末機においても、当該移動無線端末機内で切替え回路をもうける事により、連続的に交互に送受信を繰り返すことにより、第１実施例に示すような半二重通信用音声コーデック２個を用いたのと同等の複信方式の通信が可能となり、よりローコストなデジタル移動端末とすることができる。
【００２１】
本発明の実施の形態によると、第1実施例では、ローコストな音声コーデックである半二重通信用の音声通常コーデックを２個備えることで全二重通信としての通信を確立することができ、さらに、第2実施例では、半二重用音声コーデック１個を備えて切換え手段を設けることで、全二重通信としての通信を確立することができ、複信方式の通信ができるデジタル移動無線システムを構築することができる。
【００２２】
このように本発明によると、無線基地局と少なくとも１つの移動無線端末とより構成されるデジタル移動無線システムにおいて、前記少なくとも１つの移動無線端末は、半二重用コーデック部を２個若しくは１個備え、前記半二重用コーデック部を２個備えている場合は半フレームずつの送信処理と受信処理を行う、若しくは、半二重用コーデック部を１個備えている場合は半フレーム毎に送信処理と受信処理とを交互に行うよう入出力切替手段にて切換えを行う、ことにより複信方式の通信を確立することことができるものであり、例えば、市町村防災用等に用いるＴＤＭＡのデジタル移動無線システム、特に無線端末局の音声コーデックに関して特に有効なものとなる。
【図面の簡単な説明】
【００２３】
【図１】本発明の実施の形態である移動無線端末のブロック図（第１実施例）である。
【図２】本発明の実施の形態である移動無線端末のブロック図（第２実施例）である。
【図３】本発明の実施の形態であるデジタル移動無線システムの動作を示すエアフレーム図である。
【符号の説明】
【００２４】
１：移動無線端末機、１３：受信部、２１：送信部、３０：ベースバンド信号処理部、１１：アンテナ、１２：アンテナ共用器、２０：周波数シンセサイザ、３４：受話器、３５：送話器、１４：高周波増幅器、１５：受信ミキサ、１６：中間周波増幅器、１７：復調器、２２：送信電力増幅器、２３：送信ミキサ、２４：変調器、３１−１：コーデック部（伸長）、３１−２：コーデック部（圧縮）、３２：Ｄ／Ａ変換部、３３：Ａ／Ｄ変換部、３１：コーデック部（圧縮／伸長）、３６：入出力切替え回路、２：制御部、５５：入力キー、５６：表示部、５０：主中央処理装置（主ＣＰＵ）、５１：ＲＯＭ、５２：ＲＡＭ、５３：電気的消去書込可能型ＲＯＭ、５４：操作部、５８：電源制御部、バス：５９。
【図１】
2005347923.tif 000003
【図２】
2005347923.tif 000004
【図３】
2005347923.tif 000005